(57)【要約】【課題】ＩＣキャッシュカードを使用してコンビニエンスストア等に配設されているキオスク端末を操作することによって、所定のフォーマットを備え、ＩＣキャッシュカードに記憶された申請者の個人情報が記載され、キオスク端末が備えるカメラが撮影した申請者の証明写真が貼付された申請書が自動的に作成されるようにして、容易にかつ短時間で、正確に記載され、証明写真が貼付された申請書を作成することができるようにする。【解決手段】申請書情報を格納するデータベースを備えるサーバと、申請者を撮影するカメラを備え、申請者がＩＣキャッシュカードを使用して操作するキオスク端末とを有し、キオスク端末は、サーバから申請書情報を受信し、ＩＣキャッシュカードから申請者の個人情報を読み取り、カメラによって申請者を撮影し、申請書情報に含まれるフォーマットを備え、個人情報が記載され、証明写真が貼付された申請書を発行する。【選択図】図１
2007226333.tif 000002
【特許請求の範囲】
【請求項１】
（ａ）申請書情報を格納するデータベースを備えるサーバと、
（ｂ）申請者を撮影するカメラを備え、前記申請者がＩＣキャッシュカードを使用して操作し、申請書を作成するキオスク端末とを有し、
（ｃ）該キオスク端末は、前記サーバから前記申請書情報を受信し、前記ＩＣキャッシュカードから前記申請者の個人情報を読み取り、前記カメラによって前記申請者を撮影し、前記申請書情報に含まれるフォーマットを備え、前記個人情報が記載され、証明写真が貼付された申請書を発行することを特徴とする申請書フォーマット作成システム。
【請求項２】
（ａ）前記キオスク端末は、前記申請者が選択した種類の申請書を作成するために必要な申請書情報の取得要求を前記サーバに送信し、
（ｂ）該サーバは、前記取得要求を受信すると、前記データベースにアクセスし、前記申請書情報を取得して前記キオスク端末に返信する請求項１に記載の申請書フォーマット作成システム。
【請求項３】
前記キオスク端末は金融取引を行う機能を更に備える請求項１又は２に記載の申請書フォーマット作成システム。
【請求項４】
（ａ）申請書情報を格納するデータベースを備えるサーバに接続されるとともに、申請者を撮影するカメラを有し、
（ｂ）前記申請者がＩＣキャッシュカードを使用して操作すると、前記サーバから前記申請書情報を受信し、前記ＩＣキャッシュカードから前記申請者の個人情報を読み取り、前記カメラによって前記申請者を撮影し、前記申請書情報に含まれるフォーマットを備え、前記個人情報が記載され、証明写真が貼付された申請書を発行することを特徴とするキオスク端末。
【請求項５】
金融取引を行う機能を更に有する請求項４に記載のキオスク端末。
【発明の詳細な説明】
【技術分野】
【０００１】
本発明は、申請書フォーマット作成システムに関するものである。
【背景技術】
【０００２】
従来、行政機関等の公的機関に対して各種の申請を行う場合、申請者は、あらかじめ入手した所定の申請書に必要事項を記入し、公的機関の窓口に提出する、いわゆる紙ベースの仕組みが採用されている。しかし、近年、パーソナルコンピュータ、インターネット等の電子情報機器やシステムの普及によって、情報伝達システムは、紙ベースから電子情報ベースへと急速に変化しつつある。そこで、申請書の電子フォームを作成して電子化情報として公的機関に送信することができるシステムが提案されている（例えば、特許文献１参照。）。
【特許文献１】特開２００３−１８７１７７号公報
【発明の開示】
【発明が解決しようとする課題】
【０００３】
しかしながら、前記従来のシステムにおいては、公的機関において電子情報ベースの仕組みが採用されている必要があるが、例えば、自動車の運転免許証のように、電子情報ベースの仕組みが採用されておらず、紙ベースで申請書を作成して提出しなければならない場合が多い。
【０００４】
そして、自動車の運転免許証のために申請書を提出する場合、申請者は、運転免許センタ、警察署等の申請書受付場所まで出向いて申請書を受け取って、自宅などへ戻ってから自分の住所、氏名等の個人情報を申請書の所定欄に記入する。また、前記申請者は、写真館等に出向いて自分の証明写真を撮影し、前記申請書に証明写真を貼（てん）付する。さらに、申請者は、再度、申請書受付場所まで出向いて申請書を提出するようになっている。このように、申請者は、申請書受付場所まで何回も出向く必要があるので、時間や手間がかかってしまう。また、申請者は、自宅などへ戻ってから申請書に個人情報を記入したり、証明写真を撮影したりする必要があるので、申請書を作成するために長時間かかってしまう。
【０００５】
もっとも、申請者は、申請書受付場所で申請書を受け取り、その場で該申請書の所定欄に個人情報を記入し、あらかじめ用意した証明写真を貼付して提出することができる場合もある。この場合、自宅などへ戻る必要がなく、出向く時間や手間を省くことができる。しかし、自宅などへ戻る必要がなくても、申請書の所定欄に個人情報を記入しなければならないので、そのために時間や手間がかかってしまう。
【０００６】
また、申請書受付場所で証明写真を撮影し、申請書に証明写真を貼付することができる場合もある。この場合、写真館等に出向く必要がなく、時間や手間を省くことができる。しかし、申請書受付場所で証明写真を撮影する場合には待ち行列が長いことが多く、時間がかかってしまう。
【０００７】
本発明は、前記従来のシステムの問題点を解決して、申請者が自分のＩＣ（Ｉｎｔｅｇｒａｔｅｄ  Ｃｉｒｃｕｉｔ）キャッシュカードを使用してコンビニエンスストア等に配設されているキオスク端末を操作することによって、所定のフォーマットを備え、前記ＩＣキャッシュカードに記憶された申請者の個人情報が記載されるとともに、前記キオスク端末が備えるカメラが撮影した申請者の証明写真が貼付された申請書が自動的に作成されるようにして、申請者が容易にかつ短時間で、正確に記載され、証明写真が貼付された申請書を作成することができる申請書フォーマット作成システムを提供することを目的とする。
【課題を解決するための手段】
【０００８】
そのために、本発明の申請書フォーマット作成システムにおいては、申請書情報を格納するデータベースを備えるサーバと、申請者を撮影するカメラを備え、前記申請者がＩＣキャッシュカードを使用して操作し、申請書を作成するキオスク端末とを有し、該キオスク端末は、前記サーバから前記申請書情報を受信し、前記ＩＣキャッシュカードから前記申請者の個人情報を読み取り、前記カメラによって前記申請者を撮影し、前記申請書情報に含まれるフォーマットを備え、前記個人情報が記載され、証明写真が貼付された申請書を発行する。
【０００９】
本発明の他の申請書フォーマット作成システムにおいては、さらに、前記キオスク端末は、前記申請者が選択した種類の申請書を作成するために必要な申請書情報の取得要求を前記サーバに送信し、該サーバは、前記取得要求を受信すると、前記データベースにアクセスし、前記申請書情報を取得して前記キオスク端末に返信する。
【００１０】
本発明の更に他の申請書フォーマット作成システムにおいては、さらに、前記キオスク端末は金融取引を行う機能を更に備える。
【００１１】
本発明のキオスク端末においては、申請書情報を格納するデータベースを備えるサーバに接続されるとともに、申請者を撮影するカメラを有し、前記申請者がＩＣキャッシュカードを使用して操作すると、前記サーバから前記申請書情報を受信し、前記ＩＣキャッシュカードから前記申請者の個人情報を読み取り、前記カメラによって前記申請者を撮影し、前記申請書情報に含まれるフォーマットを備え、前記個人情報が記載され、証明写真が貼付された申請書を発行する。
【００１２】
本発明の他のキオスク端末においては、さらに、金融取引を行う機能を更に有する。
【発明の効果】
【００１３】
本発明によれば、申請書フォーマット作成システムは、申請者が自分のＩＣキャッシュカードを使用してコンビニエンスストア等に配設されているキオスク端末を操作することによって、所定のフォーマットを備え、前記ＩＣキャッシュカードに記憶された申請者の個人情報が記載されるとともに、前記キオスク端末が備えるカメラが撮影した申請者の証明写真が貼付された申請書が自動的に作成されるようになっている。そのため、申請者は、容易にかつ短時間で、正確に記載され、証明写真が貼付された申請書を作成することができる。
【発明を実施するための最良の形態】
【００１４】
以下、本発明の実施の形態について図面を参照しながら詳細に説明する。
【００１５】
図１は本発明の実施の形態における申請書フォーマット作成システムの構成を示す図である。
【００１６】
図において、１０は本実施の形態におけるコンピュータシステムとしての申請書フォーマット作成システムであり、例えば、自動車の運転免許証の更新、パスポートの取得等のための各種の申請書１８を自動的に作成するためのシステムである。なお、本実施の形態において、申請書１８は、申請者の氏名、生年月日、住所等の個人情報を記載するとともに、申請者の証明写真を貼付する書類であればいかなる種類の書類であってもよく、公的機関に提出する書類に限られることがなく、例えば、履歴書であってもよい。
【００１７】
そして、１１は、コンビニエンスストア、スーパーマーケット、デパート等の商店の店舗、駅の構内、地下街等に配設された、キオスク端末としてのコンビニＡＴＭ（Ａｕｔｏｍａｔｉｃ  Ｔｅｌｌｅｒ  Ｍａｃｈｉｎｅ：現金自動預払機）である。該コンビニＡＴＭ１１は、銀行、郵便局、信用金庫等の金融機関の支店等に配設されたＡＴＭ、ＣＤ（Ｃａｓｈ  Ｄｉｓｐｅｎｓｅｒ：現金自動支払機）等の一般的な自動取引装置と同様に、前記金融機関の顧客が自分で操作して入金、出金、通帳記帳、残高照会、振込、振替、送金等の金融取引を行うことができるとともに、他の機能、例えば、チケット予約機能、施設情報案内機能、無担保ローン、キャッシング等の契約を行う機能等を有する多機能端末である。なお、前記コンビニＡＴＭ１１は、前記金融機関の本店、支店等、市役所、病院等の公共施設、工場、事務所等の私企業、駐車場、道路脇（わき）等の屋外など、いかなる場所に配設されていてもよい。また、図において、コンビニＡＴＭ１１は、一つしか示されていないが、複数であってもよく、いくつであってもよい。
【００１８】
本実施の形態において、前記申請者は、コンビニＡＴＭ１１を自分で操作して申請書１８を作成することができるようになっている。この場合、前記申請者は、金融機関の顧客であるものとする。
【００１９】
ここで、前記コンビニＡＴＭ１１は、ＣＰＵ、ＭＰＵ等の演算装置、半導体メモリ、磁気ディスク等の記憶装置、通信インターフェイス等を備える一種のコンピュータであり、図示されないオンラインネットワーク等の金融取引用ネットワークを介して、図示されない上位装置としての金融機関の勘定系ホストコンピュータに接続されており、該勘定系ホストコンピュータと通信を行って、前記金融取引の処理を実行する。
【００２０】
また、前記コンビニＡＴＭ１１の記憶装置には、申請書１８を作成する処理を実行するためのアプリケーションプログラムが格納されている。そして、前記コンビニＡＴＭ１１は、ネットワーク１６を介して、サーバとしての申請書フォーマットサーバ２２に接続されており、前記アプリケーションプログラムに従って動作を行うことにより、前記申請書フォーマットサーバ２２と通信を行って申請書１８を作成する処理を実行する。
【００２１】
また、前記申請書フォーマットサーバ２２は、ＣＰＵ、ＭＰＵ等の演算装置、磁気ディスク、半導体メモリ等の記憶装置、キーボード、マウス等の入力装置、ＣＲＴ、液晶ディスプレイ等の表示装置、通信インターフェイス等を備える一種のコンピュータである。さらに、前記申請書フォーマットサーバ２２は、磁気ディスク、半導体メモリ等の記憶装置から成るデータベースとしてのフォーマット情報データベース２２ｂを有する。該フォーマット情報データベース２２ｂには、申請書種類、申請書必要事項、フォーマット等の申請書情報が格納されている。また、前記申請書フォーマットサーバ２２の記憶装置には、フォーマット情報データベース２２ｂに格納された申請書情報をコンビニＡＴＭ１１に送信する処理を実行するためのアプリケーションプログラムが格納されている。そして、前記申請書フォーマットサーバ２２は、前記アプリケーションプログラムに従って動作を行うことにより、前記コンビニＡＴＭ１１からの要求に応じ、フォーマット情報データベース２２ｂから申請書１８を作成するために必要な申請書情報を取得して前記コンビニＡＴＭ１１に送信する処理を実行する。
【００２２】
なお、前記ネットワーク１６は、無線又は有線の専用通信回線網又は公衆通信回線網、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のいかなるものであってもよい。また、前記ネットワーク１６は、専用通信回線網であることが望ましいが、公衆通信回線網を利用したＶＰＮ（Ｖｉｒｔｕａｌ  Ｐｒｉｖａｔｅ  Ｎｅｔｗｏｒｋ）であってもよい。さらに、前記ネットワーク１６は、金融取引用ネットワークと同一のものであってもよい。
【００２３】
そして、前記コンビニＡＴＭ１１は、キーボード等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置等を備える顧客操作部を有する。なお、該顧客操作部は、入力装置と表示装置との機能を兼ね備えるタッチパネル１２であるものとして説明する。図に示される例において、該タッチパネル１２には申請書フォーマット作成画面が表示されている。さらに、該申請書フォーマット作成画面には、作成する申請書１８の種類を選択するための選択手段として、自動車の運転免許証のための申請書１８を作成することを選択する運転免許証選択ボタン１２ａ、パスポートのための申請書１８を作成することを選択するパスポート選択ボタン１２ｂ、履歴書を作成することを選択する履歴書選択ボタン１２ｃ、及び、その他の申請書１８を作成することを選択するその他選択ボタン１２ｄが表示されている。
【００２４】
また、前記コンビニＡＴＭ１１は、前記申請者が所持するＩＣキャッシュカード１７を取り扱い、該ＩＣキャッシュカード１７が記憶する前記申請者の個人情報を読み取るカード読取装置１４を有する。ここで、前記ＩＣキャッシュカード１７は、金融機関が顧客としての申請者に対して発行した入金、出金、振込、残高照会等の金融取引を行うためのカードであり、申請者の氏名、生年月日、住所等の個人情報を格納した記憶装置としてのＩＣチップ１７ａを備える。また、該ＩＣチップ１７ａには、申請書１８を作成するためのアプリケーションプログラムが格納されている。そして、前記ＩＣキャッシュカード１７は、前記アプリケーションプログラムがコンビニＡＴＭ１１のアプリケーションプログラムによって起動されると、ＩＣチップ１７ａに格納されている個人情報をコンビニＡＴＭ１１に送信する。なお、前記ＩＣキャッシュカード１７は、ＩＣチップ１７ａの他に、一般的なキャッシュカードが記憶装置として備えている磁気ストライプを備えるものであってもよい。
【００２５】
そして、前記カード読取装置１４は、ＩＣキャッシュカード１７が挿入及び排出されるカードスロットを備え、該カードスロット内には、前記ＩＣキャッシュカード１７を搬送する搬送装置、及び、ＩＣキャッシュカード１７のＩＣチップ１７ａに格納された情報の読み取り、上書き、消去等を行うための記録ヘッドが配設される。なお、前記カード読取装置１４は他の金融機関の発行したキャッシュカードやクレジットカード、デビットカード等の他の種類のカードも取り扱えるものであることが望ましい。
【００２６】
また、前記コンビニＡＴＭ１１は、預金通帳等の通帳に記帳する記帳処理、及び、新規の口座が開設された場合に、通帳に顧客としての申請者の氏名、口座番号、営業店名等の必要事項が印字された前記新規の口座に対応する通帳を発行する図示されない通帳取扱装置を有する。ここで、前記通帳は、金融機関が顧客に対して発行した預金通帳等の冊子状の通帳であり、入金、出金、振込、振替、送金、定期性預金設定等の金融取引の記録が印刷されるものである。なお、前記通帳の表紙又は裏表紙には、申請者の氏名、口座番号、暗証番号等の情報を格納する磁気ストライプを備える。さらに、前記情報を格納する部材としては、前記磁気ストライプに代えて、通帳に埋め込まれたＩＣであってもよい。また、前記通帳取扱装置は、通帳が挿入及び排出される通帳スロットを備え、該通帳スロット内には、前記通帳を搬送する搬送装置、前記通帳に前記金融取引の記録を印刷する印字ヘッド、及び、前記通帳の磁気ストライプやＩＣに格納された情報の読み取り、上書き、消去等を行うための磁気ヘッド等の記録ヘッドが配設される。
【００２７】
さらに、前記コンビニＡＴＭ１１は、紙幣を取り扱う図示されない紙幣取扱装置、及び、硬貨を取り扱う図示されない硬貨取扱装置を有する。前記紙幣取扱装置及び硬貨取扱装置は、内部に各金種の紙幣及び硬貨を収納し、入金等の金融取引において顧客としての申請者が入金した紙幣及び硬貨を受け取り、カウントするとともに、出金等の金融取引において所定金額の紙幣及び硬貨を図示されない凹状の紙幣受取口及び硬貨受取口から払い出す。なお、前記紙幣受取口及び硬貨受取口にはシャッタが配設され、入金の際には前記シャッタが自動的に開き、申請者は入金する紙幣及び硬貨を前記紙幣受取口及び硬貨受取口にそれぞれ投入する。また、出金の際には前記シャッタが自動的に開き、申請者は出金された紙幣及び硬貨を前記紙幣受取口及び硬貨受取口からそれぞれ取り出すようになっている。
【００２８】
そして、前記コンビニＡＴＭ１１は、申請者を撮影するためのカメラ１５を有する。該カメラ１５は、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像手段を備え、コンビニＡＴＭ１１を操作する申請者の静止画像又は動画像を撮影して取得することができる。そして、前記申請者が無担保ローン、キャッシング等の契約を行う場合、カメラ１５によって取得された申請者の静止画像又は動画像は、図示されないオペレータセンタ等に送信されてオペレータ端末の表示装置に表示される。これにより、オペレータ端末を操作するオペレータは、表示された申請者の画像を証明書等の顔写真と照合して、前記申請者が本人であることを確認することができる。また、前記申請者が申請書１８を作成する場合、前記カメラ１５は前記申請者の顔を含む所定範囲の静止画像を撮影して取得する。そして、該静止画像は申請書１８に貼付される証明写真１８ａとして使用される。
【００２９】
また、前記コンビニＡＴＭ１１は、申請書１８を発行する申請書発行装置１３を有する。該申請書発行装置１３は、申請書情報に含まれる所定のフォーマットを備え、必要事項が記載され、かつ、証明写真１８ａが貼付された申請書１８を印刷して発行する。なお、前記申請書発行装置１３は、取引明細票を発行する機能を備えるものであってもよい。該取引明細票は、入金、出金、残高照会、振込、振替、送金、定期性預金設定等の顧客としての申請者が行った金融取引に関する情報が印刷される紙片であり、口座番号、金融取引の種類、取引金額等が印刷される。なお、前記取引明細票は、申請者が希望したときだけに発行されるようにしてもよい。
【００３０】
本実施の形態における申請書フォーマット作成システム１０を運用及び管理する者は、いかなる者であってもよく、例えば、銀行、郵便局、信用金庫等の金融機関であってもよいし、コンビニＡＴＭ１１が配設されているコンビニエンスストア、スーパーマーケット、デパート等の商店の店舗を経営する者であってもよいし、前記金融機関、店舗を経営する者の委託を受けた者であってもよい。また、申請書１８の作成は、有償のサービスであってもよいし、無償のサービスであってもよい。
【００３１】
次に、前記構成の申請書フォーマット作成システム１０の動作について説明する。
【００３２】
まず、申請者がコンビニＡＴＭ１１の前に立つと、該コンビニＡＴＭ１１は、図示されない検知センサによって前記申請者の存在を検知し、タッチパネル１２に初期メニュー画面を表示させる。該初期メニュー画面には、金融取引、無担保ローン、キャッシング等の契約、申請書作成等の項目を選択するための選択手段として、各項目名が記載された選択ボタンが表示される。そして、前記申請者が申請書作成に該当する選択ボタンにタッチすることによって申請書作成等の項目を選択すると、前記タッチパネル１２には、図に示されるように、運転免許証選択ボタン１２ａ、パスポート選択ボタン１２ｂ、履歴書選択ボタン１２ｃ及びその他選択ボタン１２ｄを含む申請書フォーマット作成画面が表示される。
【００３３】
続いて、前記申請者は、自分が所持するＩＣキャッシュカード１７をカード読取装置１４のカードスロットに挿入し、所望の申請書１８に該当する選択ボタンにタッチして選択する。ここでは、前記申請者が運転免許証選択ボタン１２ａにタッチし、運転免許証の更新のための申請書１８を作成することを選択したものとして説明する。
【００３４】
すると、前記コンビニＡＴＭ１１は、申請書１８を作成する処理を実行するためのアプリケーションプログラムに従って動作を行い、ネットワーク１６を介して、申請書フォーマットサーバ２２に対し、運転免許証の更新のための申請書１８を作成するために必要な申請書情報の取得要求を送信する。
【００３５】
一方、前記申請書フォーマットサーバ２２は、申請書情報をコンビニＡＴＭ１１に送信する処理を実行するためのアプリケーションプログラムに従って動作を行い、前記取得要求を受信すると、フォーマット情報データベース２２ｂにアクセスし、該フォーマット情報データベース２２ｂに格納されている申請書情報の中から運転免許証の更新のための申請書１８を作成するために必要な申請書情報を取得する。そして、前記申請書フォーマットサーバ２２は、フォーマット情報データベース２２ｂから取得した申請書情報を前記取得要求を送信したコンビニＡＴＭ１１に対して返信する。
【００３６】
続いて、申請書情報を前記申請書フォーマットサーバ２２から受信したコンビニＡＴＭ１１は、前記申請書情報に基づいてＩＣキャッシュカード１７のアプリケーションプログラムを起動させ、ＩＣチップ１７ａに格納されている前記申請者の個人情報をＩＣキャッシュカード１７から受信する。そして、コンビニＡＴＭ１１は、カメラ１５を作動させ、前記申請者の顔を含む所定範囲の静止画像を撮影して取得する。
【００３７】
続いて、コンビニＡＴＭ１１は、申請書発行装置１３を作動させ、運転免許証の更新のための申請書１８を印刷して発行する。該申請書１８は、申請書フォーマットサーバ２２から受信した申請書情報に含まれるフォーマットに則って作成されており、所定箇所にＩＣキャッシュカード１７から受信した申請者の個人情報に含まれる氏名、生年月日、住所等の個人情報が記載されている。また、証明写真１８ａは、前記申請書情報に含まれるフォーマットに則ったサイズで作成され、前記申請書１８の所定位置に貼付されている。
【００３８】
そして、前記申請書１８が発行された後、コンビニＡＴＭ１１は、ＩＣキャッシュカード１７をカード読取装置１４のカードスロットから排出して、前記申請者に返却する。
【００３９】
このように、本実施の形態においては、申請者が自分のＩＣキャッシュカード１７を使用してコンビニＡＴＭ１１を操作することによって、所定のフォーマットを備え、所定事項が記載され、証明写真１８ａが貼付された申請書１８を作成することができるようになっている。この場合、申請者の個人情報は、ＩＣキャッシュカード１７のＩＣチップ１７ａから読み出され、コンビニＡＴＭ１１によって申請書１８の所定箇所に自動的に記載されるので、申請者が手書きで記入する必要がない。また、証明写真１８ａもコンビニＡＴＭ１１によって自動的に撮影されて申請書１８の所定箇所に貼付されるので、証明写真１８ａを撮影するために並んだり、証明写真１８ａを手作業で申請書１８に貼付したりする必要がない。そのため、申請者は、手間をかけることなく、容易にかつ短時間で正確に記載された申請書１８を得ることができる。
【００４０】
また、コンビニＡＴＭ１１が配設されているコンビニエンスストア等に出向くだけで申請書１８を作成することができるので、申請者は、自宅や職場の近所等のような自分に都合の良い場所に、自分に都合の良い時間帯に出向けばよく、申請者にとっての利便性が高いものである。
【００４１】
さらに、申請書１８の作成を有償のサービスとした場合、申請書フォーマット作成システム１０を運用及び管理する者は、手数料収入を得ることができる。
【００４２】
なお、本発明は前記実施の形態に限定されるものではなく、本発明の趣旨に基づいて種々変形させることが可能であり、それらを本発明の範囲から排除するものではない。
【図面の簡単な説明】
【００４３】
【図１】本発明の実施の形態における申請書フォーマット作成システムの構成を示す図である。
【符号の説明】
【００４４】
１０    申請書フォーマット作成システム
１１    コンビニＡＴＭ
１５    カメラ
１７    ＩＣキャッシュカード
１８    申請書
１８ａ    証明写真
２２    申請書フォーマットサーバ
２２ｂ    フォーマット情報データベース
【図１】
2007226333.tif 000003